(57)【要約】【課題】【解決手段】  駆動枠１の隣り合う２つの保持枠２にそれぞれ設けられた保持部３が所定の相互間隔Ａをなす。刺繍枠１１の相対向する２箇所に設けられた結合部１４に２つの取付金具１５が結合され、それらの被保持部１６が前記相互間隔Ａと等しい相互間スパンＢをなす。保持部３に被保持部１６が着脱可能に保持されることにより、刺繍枠１１が保持枠２に取り付けられる。刺繍枠１１を寸法の異なるものに替えても、取付金具１５を同一寸法の共通部材とし、前記相互間スパンＢが変わらないよう結合部１４に対し取付金具１５を結合位置調節可能に結合する調節結合構造を設ける。【選択図】        図３
2005287850.tif 000002
【特許請求の範囲】
【請求項１】
刺繍枠の相対向する２箇所に設けられた結合部に２つの取付金具が外側へ突出するように結合され、該２つの取付金具にそれぞれ設けられた被保持部が所定の相互間スパンをなす刺繍枠において、
前記刺繍枠を寸法の異なるものに替えても、前記取付金具を同一寸法の共通部材とし、前記被保持部の相互間スパンが変わらないよう前記結合部に対し前記取付金具を結合位置調節可能に結合する調節結合構造を設けたことを特徴とする刺繍枠。
【請求項２】
駆動枠が少なくとも３つのステー状の保持枠を備え、隣り合う２つの前記保持枠にそれぞれ設けられた保持部が所定の相互間隔をなし、
刺繍枠の相対向する２箇所に設けられた結合部に２つの取付金具が外側へ突出するように結合され、該２つの取付金具にそれぞれ設けられた被保持部が前記保持部の相互間隔と等しい相互間スパンをなし、
前記保持部に前記被保持部が着脱可能に保持されることにより、前記刺繍枠が前記保持枠に取り付けられる多頭刺繍ミシンの刺繍枠取付構造において、
前記刺繍枠を寸法の異なるものに替えても、前記取付金具を同一寸法の共通部材とし、前記被保持部の相互間スパンが変わらないよう前記結合部に対し前記取付金具を結合位置調節可能に結合する調節結合構造を設けたことを特徴とする多頭ミシンの刺繍枠取付構造。
【発明の詳細な説明】
【技術分野】
【０００１】
本発明は、被刺繍物を保持するための刺繍枠と、該刺繍枠を多頭刺繍ミシン駆動枠に取付ける構造に関するものである。
【背景技術】
【０００２】
図６に示す多頭刺繍ミシンは、前後左右に駆動される駆動枠５１が少なくとも３つのステー状の保持枠５２を備え、各保持枠５２の間に刺繍枠が配されて取り付けられるタイプである（特許文献１）。隣り合う２つの保持枠５２にそれぞれ設けられた保持部５３は所定の相互間隔Ａをなす。この保持枠５２に取り付けられる環状の刺繍枠６１は、その相対向する２箇所に設けられた結合部６２に２つの取付金具６３が外側へ突出するように結合され、該２つの取付金具６３にそれぞれ設けられた被保持部６４が保持部５３の相互間隔Ａと等しい相互間スパンＢをなす。そして、保持部５３に被保持部６４が着脱可能に保持されることにより、刺繍枠６１が保持枠５２に取り付けられる。
【０００３】
詳しくは、保持枠５２には２つの保持部５３が左右に並んで設けられている。その２つのうち左側の保持部５３はその保持枠５２の左方の刺繍枠６１の被保持部６４を保持するものであり、右側の保持部５３はその保持枠５２の右方の刺繍枠６１の被保持部６４を保持するものである。
【０００４】
ここで、刺繍枠６１は刺繍範囲の大きさに応じた適当な寸法のものに替えて（選択して）使用されるが、刺繍枠６１を寸法の異なるものに替えても、被保持部６４の相互間スパンＢは変わらないようにしなければならない。そこで、従来は寸法の異なる刺繍枠ごとに寸法の異なる取付金具６３を用意し、図６（ａ）に示すように寸法の大きい刺繍枠６１には短い取付金具６３を結合し、図６（ｂ）に示すように寸法の小さい刺繍枠６１には長い取付金具６３を結合するという手法により、被保持部６４の相互間スパンＢが変わらないようにしていた。しかし、この手法では、寸法の種々異なる取付金具６３を多種類用意する必要があるため、コストがかさみ、管理も複雑になるという問題があった。
【０００５】
ところで、前記ステー状の保持枠５２を備える駆動枠５１とは別の駆動枠として、図７に示すような四角枠状のものもあり、この四角枠状の駆動枠７１に取り付けられる刺繍枠８１にも、相対向する箇所の結合部８２に２つの取付金具８３が結合される。この取付金具８３には駆動枠７１にネジ止めするための長孔８４が形成されたものが知られており（特許文献２）、その長孔８４の長さ範囲でスパン調整できる。このスパン調整により取付金具８３が駆動枠５１よりも外側にはみ出ることもあるが、ほとんど問題にはならない。
【０００６】
しかし、このような長孔８４付きの取付金具８３を、図６の前記ステー状の保持枠５２を備える駆動枠５１に取り付ける刺繍枠６１に使用することはできない。なぜなら、前記のとおり保持枠５２には２つの保持部５３が左右に並んで設けられているため、取付金具８３が保持部５３をはみ出ると隣の取付金具８３に当たってしまい、取り付けられないからである。
【特許文献１】特開平９−２９６３５１号公報
【特許文献２】特開平１−２６００５２号公報
【発明の開示】
【発明が解決しようとする課題】
【０００７】
そこで、本発明は、刺繍枠を寸法の異なるものに替えても、取付金具を同一寸法の共通部材として各刺繍枠に結合することができ、取付金具の種類の簡素化を図ることができるようにすることを目的とする。
【課題を解決するための手段】
【０００８】
本発明に係る刺繍枠は、刺繍枠の相対向する２箇所に設けられた結合部に２つの取付金具が外側へ突出するように結合され、該２つの取付金具にそれぞれ設けられた被保持部が所定の相互間スパンをなす刺繍枠において、前記刺繍枠を寸法の異なるものに替えても、前記取付金具を同一寸法の共通部材とし、前記被保持部の相互間スパンが変わらないよう前記結合部に対し前記取付金具を結合位置調節可能に結合する調節結合構造を設けたことを特徴とする。
【０００９】
また、本発明に係る多頭ミシンの刺繍枠取付構造は、駆動枠が少なくとも３つのステー状の保持枠を備え、隣り合う２つの前記保持枠にそれぞれ設けられた保持部が所定の相互間隔をなし、刺繍枠の相対向する２箇所に設けられた結合部に２つの取付金具が外側へ突出するように結合され、該２つの取付金具にそれぞれ設けられた被保持部が前記保持部の相互間隔と等しい相互間スパンをなし、前記保持部に前記被保持部が着脱可能に保持されることにより、前記刺繍枠が前記保持枠に取り付けられる多頭刺繍ミシンの刺繍枠取付構造において、前記刺繍枠を寸法の異なるものに替えても、前記取付金具を同一寸法の共通部材とし、前記被保持部の相互間スパンが変わらないよう前記結合部に対し前記取付金具を結合位置調節可能に結合する調節結合構造を設けたことを特徴とする。
【００１０】
これらの発明において、調節結合構造の具体的構成は特に限定されないが、結合部及び取付金具に相対的に設けられた長孔及び雌ネジ部材と、該長孔に通して雌ネジ部材に締め付ける止めネジとの組み合わせや、結合部及び取付金具に相対的に設けられた透孔及び複数の雌ネジ部材と、該透孔に通して雌ネジ部材に締め付ける止めネジとの組み合わせや、結合部及び取付金具に相対的に設けられた雌ネジ部材及び複数の透孔と、該透孔に通して雌ネジ部材に締め付ける止めネジとの組み合わせ等を例示できる。
【００１１】
さらに、調節結合構造は、結合部に対する取付金具の結合位置を調整するときに、その結合位置を段階的に決めるための位置決め構造を補助的に備えていることが好ましい。この位置決め構造の具体的構成は特に限定されないが、結合部と取付金具とに相対的に設けられた波状壁と波状部との組み合わせや、結合部と取付金具とに相対的に設けられた突起と複数の孔との組み合わせ等を例示できる。
【発明の効果】
【００１２】
本発明によれば、刺繍枠を寸法の異なるものに替えても、取付金具を同一寸法の共通部材として各刺繍枠に結合することができ、取付金具の種類の簡素化を図ることができる。
【発明を実施するための最良の形態】
【００１３】
駆動枠が少なくとも３つのステー状の保持枠を備え、隣り合う２つの保持枠にそれぞれ設けられた保持部が所定の相互間隔をなす。環状の刺繍枠の相対向する２箇所に設けられた結合部に２つの取付金具が外側へ突出するように結合され、該２つの取付金具にそれぞれ設けられた被保持部が保持部の相互間隔と等しい相互間スパンをなす。保持部に被保持部が着脱可能に保持されることにより、刺繍枠が保持枠に取り付けられる。刺繍枠を寸法の異なるものに替えても、取付金具を同一寸法の共通部材とし、被保持部の相互間スパンが変わらないよう結合部に対し取付金具を結合位置調節可能に結合する調節結合構造を設ける。
【実施例１】
【００１４】
図１〜図４は、本発明を具体化した実施例１を示している。多頭刺繍ミシンには、針を駆動する上部のミシンヘッド（図示略）と釜を駆動する下部のベッド２０とを備える複数のミシン機が、左右に所定間隔をおいて並設されている。全てのミシンヘッドとベッド２０との間に亘るように左右に長く延びる駆動枠１が配設され、該駆動枠１は駆動装置（図示略）により左右前後に駆動されるようになっている。駆動枠１は少なくとも３つ（ミシン機の数よりも１つ多い数）のステー状の保持枠２を備え、該保持枠２は後端部で駆動枠１に結合されて片持ち状に前方へ延びている。
【００１５】
両端の保持枠２の前端部の上面には１つの保持部３が設けられているが、それ以外の保持枠２の前端部の上面には２つの保持部３が左右に並んで設けられている。これらの保持部３は後述する刺繍枠１１の被保持部１６を保持するものであり、２つ並設されたもののうち左側の保持部３は左方の刺繍枠１１の被保持部１６を、右側の保持部３は右方の刺繍枠１１の被保持部１６をそれぞれ保持するものである。そして、隣り合う２つの保持枠２にそれぞれ設けられた保持部３は所定の相互間隔Ａをなしている。
【００１６】
この保持枠２に取り付けられる環状の刺繍枠１１は、樹脂製の外枠１２と内枠１３とからなり、布、シート等の被刺繍物Ｗを両枠１２，１３間に挟んで枠内に展張・保持するようになっている。なお、刺繍枠の構造はこの例に限定されるものではない。本例では外枠１２の相対向する２箇所に外側へ突出するように樹脂で一体的に設けられた板状の結合部１４に、２つの取付金具１５が部分的に重ねられるとともにさらに外側へ突出するように結合され、該２つの取付金具１５にそれぞれ設けられた被保持部１６が、保持部３の相互間隔Ａと等しい相互間スパンＢをなす。そして、保持部３に被保持部１６が着脱可能に保持されることにより、刺繍枠１１が保持枠２に取り付けられる。
【００１７】
保持部３と被保持部１６の具体的構造は、特に限定されず、例えば特許文献１に記載された公知の構造とすることができる。すなわち、保持部３は、保持枠２に取り付けられた押バネ３ａと、保持枠２の上面に設けられた嵌合凸部３ｂ及び案内ピン３ｃとからなる。また、被保持部１６は、取付金具１５の端部の上面１６ａと、取付金具１５に形成された嵌合孔１６ｂ及び案内溝１６ｃとからなる。但し、案内溝１６ｃと案内ピン３ｃは、一つの刺繍枠１１について右側の保持部３と被保持部１６にのみ設けられている。そして、図４等に示すように、取付金具１５を保持枠２と押バネ３ａとの間に滑り込ませ、案内溝１６ｃに案内ピン３ｃを案内させ、嵌合孔１６ｂを嵌合凸部３ｂに嵌合し、上面１６ａを押バネ３ａで押さえ付けることにより、保持部３に被保持部１６が着脱可能に保持される。
【００１８】
本例では、図３等に示すように、刺繍枠１１を寸法（図示例では横幅）の異なるものに替えても、取付金具１５を同一寸法の共通部材とし、被保持部１６の相互間スパンＢが変わらないよう結合部１４に対し取付金具１５を結合位置調節可能に結合する調節結合構造が設けられている。調節結合構造は、主として、結合部１４における外枠からの距離が段階的に異なる位置であって且つ複数列をなす位置に埋設された複数個の雌ネジ部材１７ａと、取付金具１５に長さ方向に延びるように形成された３列の長孔１７ｂと、複数の止めネジ１７ｃとからなる。
【００１９】
そして、図３（ａ）に示すように寸法の大きい刺繍枠１１には、その結合部１４に対し取付金具１５を深く重ね、止めネジ１７ｃを長孔１７ｂに通して雌ネジ部材１７ａに締め付けることにより結合し、図３（ｂ）に示すように寸法の小さい刺繍枠１１には、その結合部１４に対し取付金具１５を浅く重ね、同じく止めネジ１７ｃにより結合するという手法により、被保持部１６の相互間スパンＢが変わらないようにすることができる。このように、刺繍枠１１を寸法の異なるものに替えても、取付金具１５を同一寸法の共通部材として各刺繍枠１１に結合することができるので、取付金具１５の種類の簡素化を図ることができる。なお、刺繍枠１１の寸法が最小のものと最大のものとで大きく異なる場合には、最小のものから中間的なものまでに使用する第１の同一寸法の取付金具１５と、中間的なものから最大のものまでに使用する第２の同一寸法の取付金具１５との２種類にしてもよく、その場合も従来と比べれば大幅に種類の簡素化を図ることができる。
【００２０】
また、調節結合構造は、結合部１４の上面の前後縁部に設けられた波状壁１７ｄと、取付金具１５の前後縁部に設けられた波状部１７ｅとからなる位置決め構造を補助的に備えている。上記のように結合部１４に対する取付金具１５の重なりの深浅を調整するときに、波状壁１７ｄに対する波状部１７ｅの嵌合位置がそれらの波ピッチごとに段階的に変わって決まることにより、該調整を容易に且つ正確に行うことができるようになっている。この波ピッチは、刺繍枠１１の寸法が段階的に異なることに対応して形成されている。
【実施例２】
【００２１】
図５（ａ）は実施例２の要部を示しており、本例は調節結合構造においてのみ実施例１と相違するものである。本例の調節結合構造は、主として、結合部１４に埋設された雌ネジ部材１７ａと、取付金具１５に形成された１列の長孔１７ｂと、止めネジ１７ｃとからなり、これらの数は実施例１と異なるが関わりは実施例１と同じである。また、調節結合構造は、結合部１４の上面に突設された複数の突起１７ｆと、該突起１７ｆに選択的に嵌合するよう取付金具１５に設けられた複数列の孔１７ｇとからなる位置決め構造を補助的に備えている。
【実施例３】
【００２２】
図５（ｂ）は実施例３の要部を示しており、本例も調節結合構造においてのみ実施例１と相違するものである。本例の調節結合構造は、主として、結合部１４に埋設された雌ネジ部材１７ａと、取付金具１５に１列をなすように形成されたの複数の透孔１７ｈと、複数の止めネジ１７ｃとからなる。位置決め構造は備えていないが、結合部１４の前後縁には取付金具１５の浮上がりを防ぐコ字状のチャンネル部１９が設けられている。
【００２３】
なお、本発明は前記各実施例に限定されるものではなく、発明の趣旨から逸脱しない範囲で適宜変更して具体化することもできる。
【図面の簡単な説明】
【００２４】
【図１】本発明に係る実施例１の刺繍枠を示す斜視図である。
【図２】同刺繍枠の分解斜視図である。
【図３】同刺繍枠の作用を示す平面図である。
【図４】同刺繍枠の被保持部と保持枠の保持部との関係を示す断面図である。
【図５】（ａ）は実施例２の刺繍枠の要部を示す分解斜視図、（ｂ）は実施例３の刺繍枠の要部を示す分解斜視図である。
【図６】従来例の刺繍枠の作用を示す平面図である。
【図７】別従来例の刺繍枠の作用を示す平面図である。
【符号の説明】
【００２５】
１    駆動枠
２    保持枠
３    保持部
１１    刺繍枠
１４    結合部
１５    取付金具
１６    被保持部
１７    調節結合構造
１７ａ  雌ネジ部材
１７ｂ  長孔
１７ｃ  止めネジ
１７ｄ  波状壁
１７ｅ  波状部
１７ｆ  突起
１７ｇ  孔
１７ｈ  透孔
Ａ    相互間隔
Ｂ    相互間スパン
【図１】
2005287850.tif 000003
【図２】
2005287850.tif 000004
【図３】
2005287850.tif 000005
【図４】
2005287850.tif 000006
【図５】
2005287850.tif 000007
【図６】
2005287850.tif 000008
【図７】
2005287850.tif 000009